(57)【要約】【課題】動態画像を撮影する際に被検者が口をすぼめながら呼吸を行わないようにする。【解決手段】放射線撮影システム１００は、放射線照射装置１から照射された放射線に応じた放射線画像を繰り返し生成する放射線撮影装置２と、呼吸指示装置３と、を備える。  呼吸指示装置３は、複数のフレーム画像からなる動態画像を撮影可能な放射線撮影装置２を用いて、被検者Ｓの動態を撮影する際に用いられるものであって、被検者Ｓに対し、口をすぼめずに呼吸を行う旨の指示を行う指示手段を備える。  なお、被検者Ｓの呼吸状態を監視する監視手段を備え、被検者Ｓの呼吸状態に応じて、動態画像を撮影するための装置１，２に対し、撮影を開始させる制御を行う制御手段を備えるようにすることもできる。【選択図】図３
2020130909.tif 000002
【特許請求の範囲】
【請求項１】
複数のフレーム画像からなる動態画像を撮影可能な放射線撮影装置を用いて、被検者の動態を撮影する際に用いられる呼吸指示装置であって、
前記被検者に対し、口をすぼめながら呼吸を行わない旨の指示を行う指示手段を備えることを特徴とする呼吸指示装置。
【請求項２】
前記指示手段は、口をすぼめずに呼吸を行う旨の指示とともに、息を大きく吐き出す旨の指示を行うことを特徴とする請求項１に記載の呼吸指示装置。
【請求項３】
前記指示手段は、口をすぼめずに呼吸を行う旨の指示とともに、息を最後まで吐ききる旨の指示を行うことを特徴とする請求項１又は請求項２に記載の呼吸指示装置。
【請求項４】
前記指示手段は、指示内容を音声で出力する、又は指示内容を表示することにより指示を行うことを特徴とする請求項１から請求項３のいずれか一項に記載の呼吸指示装置。
【請求項５】
前記被検者の呼吸状態を監視する監視手段を備え、
前記被検者の呼吸状態に応じて、複数のフレーム画像からなる動態画像を撮影するための装置に対し、撮影を開始させる制御を行う制御手段を備えることを特徴とする請求項１に記載の呼吸指示装置。
【請求項６】
前記制御手段は、前記被検者の呼吸速度が所定の開始基準値以下となったことを契機として、前記動態画像を撮影するための装置に対し撮影を開始させる制御を行うことを特徴とする請求項５に記載の呼吸指示装置。
【請求項７】
前記制御手段は、前記被検者の呼吸状態に応じて、前記動態画像を撮影するための装置に対し、撮影を終了させる制御を行うことを特徴とする請求項５又は請求項６に記載の呼吸指示装置。
【請求項８】
前記制御手段は、前記被検者の呼吸速度が所定の終了基準値以下となったことを契機として、前記動態画像を撮影するための装置に対し撮影を終了させる制御を行うことを特徴とする請求項７に記載の呼吸指示装置。
【請求項９】
撮影対象部位が胸部である場合に、撮影で得られた前記複数のフレーム画像に基づいて、肺野の面積を測定する測定手段を備え、
前記制御手段は、測定した肺野の面積の変化率が所定の基準値以下となったことを契機として、前記動態画像を撮影するための装置に対し撮影を終了させる制御を行うことを特徴とする請求項７に記載の呼吸指示装置。
【請求項１０】
請求項１から９のいずれか一項に記載の呼吸指示装置と、
放射線照射装置から照射された放射線に応じた放射線画像を繰り返し生成する放射線撮影装置と、を備えることを特徴とする放射線撮影システム。
【請求項１１】
両端が開口した筒状に形成され、少なくとも口にくわえられる部位が、被検者がくわえたときに口をすぼめることができない程度の径を有している呼吸補助器具を備えることを特徴とする請求項１０に記載の放射線撮影システム。
【請求項１２】
撮影台の前に所定の姿勢で位置する被検者が、前記所定の姿勢を崩すのを抑制する体動抑制器具と、を備えることを特徴とする請求項１０又は請求項１１に記載の放射線撮影システム。
【請求項１３】
被検者が口にくわえた状態で用いられる呼吸補助器具であって、
両端が開口した筒状に形成され、
少なくとも口にくわえられる部位が、前記被検者がくわえたときに口をすぼめることができない程度の径を有していることを特徴とする呼吸補助器具。
【請求項１４】
紙又はプラスチックで形成されていることを特徴とする請求項１３に記載の呼吸補助器具。
【請求項１５】
貫通方向と直交する断面が楕円形になっていることを特徴とする請求項１３又は請求項１４に記載の呼吸補助器具。
【請求項１６】
被検者の唇が接する部位に出っ張り又は窪みが設けられていることを特徴とする請求項１３から請求項１５のいずれか一項に記載の呼吸補助器具。
【請求項１７】
被検者が吐いた息に関する測定を行うセンサーを備えることを特徴とする請求項１３から請求項１６のいずれか一項に記載の呼吸補助器具。
【請求項１８】
外面に設けられた表示部と、
前記被検者が吐いた息に関する測定結果を前記表示部に表示させる表示制御手段と、を備えることを特徴とする請求項１７に記載の呼吸補助器具。
【請求項１９】
複数のフレーム画像からなる動態画像を撮影可能な放射線撮影装置を用いて、被検者の動態を撮影する動態画像撮影方法であって、
少なくとも口にくわえられる部位が、前記被検者がくわえたときに口をすぼめることができない程度の径を有し、両端が開口した筒状に形成されている呼吸補助器具を前記被検者にくわえさせ、
前記呼吸補助器具をくわえた状態の前記被検者に息を吐き出させ、
息を吐きだしている前記被検者の動態を撮影することを特徴とする動態画像撮影方法。
【発明の詳細な説明】
【技術分野】
【０００１】
本発明は、呼吸指示装置、放射線撮影システム、呼吸補助器具及び動態画像撮影方法に関する。
【背景技術】
【０００２】
従来、被検者の自然呼吸の様子（例えば肺野の拡張・収縮等）を、複数のフレーム画像からなる動態画像の形で撮影（以下、動態撮影）することが行われている。
例えば特許文献１には、自然呼吸をする被検者の胸部を動態撮影し、複数の時間位相における複数の動態画像を取得し、当該動態画像の平均信号値の時間位相における変化から得られる被検者の動態の周期毎の振幅及び周期を特徴量として算出し、この特徴量の各周期間の変化に基づいて診断支援情報を生成して表示部に表示させる動態撮影システムについて記載されている。
こうした動態撮影システムが導入された医療機関においては、医師が再生された動態画像や診断支援情報を参照しながら被検者を診断することになる。
【先行技術文献】
【特許文献】
【０００３】
【特許文献１】特開２００９−２７３６７１号公報
【発明の概要】
【発明が解決しようとする課題】
【０００４】
ところで、胸部を動態撮影する場合には、自然呼吸ではなく意識的に息を大きく吐く努力呼出が必要となることがある。例えば、スパイロメトリー検査で努力呼出曲線を測定するといった、患者の呼吸機能の最大値を評価する場合がそれに該当する。
一方、慢性閉塞性肺疾患（Chronic Obstructive Pulmonary Disease）や喘息といった閉塞性呼吸障害を持つ患者は、一般的に、息を吐くのが苦しいため、息を吐く際に口をすぼめる（口すぼめ呼吸を行う）ようになってしまう。これは、口をすぼめながら息を吐くと、肺胞や気管に圧力がかかって閉塞箇所が拡張され、呼吸が楽になるためである。
こうした閉塞性呼吸障害を持つ患者が、努力呼出を伴う動態撮影において口をすぼめながら呼吸を行うと気道閉塞が解消されてしまうため、この撮影で得られた動態画像を用いて診断を行う医師が、閉塞性呼吸障害の所見を見落としてしまう可能性がある。
【０００５】
本発明は、上記課題に鑑みてなされたものであり、動態画像を撮影する際に被検者が口をすぼめながら呼吸を行わないようにすることを目的とする。
【課題を解決するための手段】
【０００６】
前記の問題を解決するために、本発明は、
複数のフレーム画像からなる動態画像を撮影可能な放射線撮影装置を用いて、被検者の動態を撮影する際に用いられる呼吸指示装置であって、
前記被検者に対し、口をすぼめずに呼吸を行う旨の指示を行う指示手段を備えることを特徴とする。
【０００７】
また、本発明は、
被検者が口にくわえて用いる呼吸補助器具であって、
両端が開口した筒状に形成され、
少なくとも口にくわえられる部位が、前記被検者がくわえたときに口をすぼめることができない程度の径を有していることを特徴とする。
【発明の効果】
【０００８】
本発明によれば、動態画像を撮影する際に被検者が口をすぼめながら呼吸を行わないようにすることができる。
【図面の簡単な説明】
【０００９】
【図１】本発明の実施形態に係る放射線撮影システムを表すブロック図である。
【図２】図１の放射線撮影システムが備える呼吸指示装置を表すブロック図である。
【図３】図２の呼吸指示装置が実行する呼吸指示処理を示すフローチャートである。
【図４】図１の放射線撮影システムが備える撮影台の被検者が配置された状態における正面図である。
【図５】図１の放射線撮影システムが備える撮影台の被検者が配置された状態における正面図である。
【図６】本発明の実施形態に係る呼吸補助器具の斜視図である。
【図７】図６の呼吸補助器具の側面図である。
【図８】同実施形態の変形例に係る呼吸補助器具の正面図である。
【発明を実施するための形態】
【００１０】
以下、本発明の実施の形態について図面を参照しながら詳細に説明する。ただし、発明の範囲は、図示例に限定されるものではない。
【００１１】
〔放射線撮影システム（１）〕
まず、本実施形態に係る放射線撮影システム１００の概略構成について説明する。図１は、本実施形態に係る放射線撮影システム１００を表すブロック図である。
【００１２】
放射線撮影システム１００は、図１に示すように、放射線照射装置１と、放射線撮影装置２と、呼吸指示装置３と、を備えている。
また、本実施形態に係る放射線撮影システム１００は、コンソール４と、画像保存通信システム（Picture Archiving and Communication System：ＰＡＣＳ５）と、画像解析装置６と、撮影台７と、を更に備えている。
これらは、通信ネットワークＮを介して互いに通信可能となっている。
【００１３】
なお、放射線撮影システム１００は、図示しない病院情報システム（Hospital Information System：ＨＩＳ）や、放射線科情報システム（Radiology Information System：ＲＩＳ）と接続可能となっていてもよい。
また、放射線撮影システム１００は、撮影室内に据え付けられたものであってもよいし、その一部（例えば放射線照射装置１、放射線撮影装置２及び呼吸指示装置３）が回診車と呼ばれる移動可能に構成されたものとなっていてもよい。
【００１４】
放射線照射装置１は、照射指示スイッチが操作されたことに基づいて、予め設定された放射線照射条件（管電圧や管電流、照射時間（ｍＡｓ値）等）に応じた電圧を印加するジェネレーターや、ジェネレーターから電圧が印加されると、印加された電圧に応じた線量の放射線（例えばＸ線）を生成する放射線源等を備えている。
【００１５】
そして、放射線照射装置１は、パルス状の放射線を短時間で複数回（例えば１秒間に１５回）繰り返し照射する。
なお、パルス状の放射線を繰り返し照射するのではなく、連続的に照射するようになっていてもよい。
【００１６】
放射線撮影装置２は、図示を省略するが、放射線を受けることで線量に応じた電荷を発生させる放射線検出素子や電荷の蓄積・放出を行うスイッチ素子を備えた画素が二次元状（マトリクス状）に配列された基板や、各スイッチ素子のオン／オフを切り替える走査回路、各画素から放出された電荷の量を信号値として読み出す読み出し回路、読み出し回路が読み出した複数の信号値から放射線画像を生成する制御部、生成した放射線画像のデータ等を有線又は無線で外部へ出力する出力部等を備えている。
【００１７】
そして、放射線撮影装置２は、放射線照射装置１から放射線が照射されるタイミングと同期して、照射された放射線に応じた放射線画像を短時間で複数回（例えば１秒間に１５回）繰り返し生成する。
【００１８】
なお、放射線撮影装置２は、シンチレーター等を内蔵し、照射された放射線をシンチレーターで可視光等の他の波長の光に変換し、変換した光に応じた電荷を発生させるもの（いわゆる間接型）であってもよいし、シンチレーター等を介さずに放射線から直接電荷を発生させるもの（いわゆる直接型）であってもよい。
また、放射線撮影装置２は、撮影台と一体化された専用機型のものでも、可搬型（カセッテ型）のものであってもよい。
【００１９】
呼吸指示装置３は、放射線撮影装置２を用いて、被検者Ｓの動態（特に胸部における肺野の膨張・収縮等）を撮影する際に用いられるもので、ＰＣや携帯端末、専用の装置等によって構成されている。
この呼吸指示装置３の詳細については後述する。
【００２０】
コンソール４は、ＰＣや携帯端末、専用の装置等によって構成されている。
また、コンソール４は、他の装置やシステム（ＲＩＳ等）からの撮影オーダーやユーザーによる操作等に基づいて、放射線照射装置１や放射線撮影装置２の各種撮影条件（例えば、撮影する部位等の被検者Ｓに関する条件や、管電圧や管電流、照射時間等の放射線の照射に関する条件）を設定することが可能となっている。
なお、コンソール４は、上記呼吸指示装置３と一体に構成されていてもよい（コンソール４に呼吸指示装置３の各種機能を持たせるようにしてもよい）。
【００２１】
撮影台７は、放射線撮影装置２を撮影位置で支持するためのものである。
この撮影台７の詳細については後述する。
【００２２】
このように構成された本実施形態に係る放射線撮影システム１００は、放射線照射装置１の放射線源と放射線撮影装置２とを間を空けて対向配置し、それらの間に配置された被検者Ｓへ放射線源から放射線を照射することにより、被検者Ｓの動態撮影（シリアル撮影ともいう）を行うことが可能となっている。
この「動態撮影」とは、１回の撮影操作（例えば照射指示スイッチの押下）に基づいて、放射線撮影装置２が電荷の蓄積と信号値の読み出しを短時間で複数回（例えば１秒間に１５回）繰り返すことにより、放射線照射装置１から照射された放射線に応じた一連の複数の放射線画像のデータを繰り返し生成することをいう。
以下、動態撮影により得られた一連の複数の放射線画像を動態画像と称し、動態画像を構成する個々の放射線画像をフレーム画像と称する。
【００２３】
〔呼吸指示装置〕
次に、上記放射線撮影システム１００が備える呼吸指示装置３の具体的構成について説明する。図２は呼吸指示装置３を表すブロック図、図３は呼吸指示装置３が実行する呼吸指示処理を示すフローチャートである。
【００２４】
呼吸指示装置３は、ＰＣや携帯端末、専用の装置等によって構成されており、図２に示すように、制御部３１と、記憶部３２と、呼吸監視部３３と、呼吸指示部３４と、を備えている。
各部３１〜３４は、電気的に接続されている。
【００２５】
制御部３１は、ＣＰＵ（Central Processing Unit）、ＲＡＭ（Random Access Memory）等で呼吸指示装置３の各部の動作を統括的に制御するように構成されている。具体的には、記憶部３２に記憶されている各種処理プログラムを読み出してＲＡＭに展開し、当該処理プログラムに従って各種処理を実行するようになっている。
【００２６】
記憶部３２は、ＨＤＤ（Hard Disk Drive）や半導体メモリー等により構成され、後述する動作指示等の各種処理を実行するための処理プログラムや、当該処理プログラムの実行に必要なパラメーターや、ファイル等を記憶している。
【００２７】
呼吸監視部３３は、被検者Ｓの呼吸状態を検知するセンサー、又は被検者Ｓの呼吸状態を検知するセンサーを備えた他の装置や他の器具（例えば後述する呼吸補助器具等）や被検者の顔を撮影するカメラ等とＬＡＮ（Local Area Network）、ＷＡＮ（Wide Area Network）、インターネット等の通信ネットワークＮを介して通信可能なネットワークインターフェースで構成されている。
【００２８】
呼吸指示部３４は、液晶表示パネル等の表示部や、スピーカー等で構成されており、制御部３１から入力される制御信号の指示に従って表示、音声出力、発光等が可能となっている。
なお、呼吸指示部３４は、被検者Ｓの近傍にあることが求められる一方で、呼吸指示装置３におけるその他の構成は必ずしも被検者Ｓの近傍にある必要は無い。このため、呼吸指示部３４を、呼吸指示装置３における他の構成から分離した形としてもよい。
【００２９】
このように構成された本実施形態に係る呼吸指示装置３は、動態撮影を行う際に、図３に示す呼吸指示処理を実行する機能を有している。
この呼吸指示処理では、まず、被検者Ｓに対し、口をすぼめずに呼吸を行う旨の指示を開始する（ステップＳ１）。
このステップＳ１の処理は、呼吸指示装置３へ電源投入後直ちに開始するようにしてもよいし、ユーザーにより所定操作がなされたことや被検者Ｓの準備が完了したこと（例えば後述する体動抑制器具の装着を検知したこと等）を契機として開始するようにしてもよい。
【００３０】
具体的な指示方法としては、スピーカーを用いて指示内容を音声で出力する、又は液晶表示パネル等の表示部を用いて指示内容を表示する、といったものが挙げられる。
なお、口をすぼめずに呼吸を行う旨の指示とともに、息を大きく吐き出す旨の指示を行うようにしてもよい。
また、口をすぼめずに呼吸を行う旨の指示とともに、息を最後まで吐ききる旨の指示を行うようにしてもよい。
また、口をすぼめずに呼吸を行う旨の指示として、後述する呼吸補助器具を装着する旨の指示を行うようにしてもよい。
制御部３１は、このステップＳ１の処理を実行することにより、指示手段として機能する。そして、この処理が実行されると、被検者Ｓが努力呼出を開始することになる。
【００３１】
口をすぼめずに呼吸を行う旨の指示を開始した後は、被検者Ｓの呼吸状態を監視する（ステップＳ２）。
このステップＳ２の処理は、口をすぼめずに呼吸を行う旨の指示と並行して行われる。
具体的には、呼吸監視部３３を構成するセンサーを作動させる、又はネットワークインターフェースにセンサーを備えた他の装置や他の器具との通信を開始させる。
制御部３１は、このステップＳ２の処理を実行することにより、監視手段として機能する。
【００３２】
呼吸状態の監視を開始した後は、被検者Ｓの呼吸状態に応じて、動態画像を撮影するための装置に対し、撮影を開始させる制御を行う（ステップＳ３）。
具体的には、例えば被検者Ｓの呼吸速度が所定の開始基準値以下となったことを契機として、動態画像を撮影するための装置に対し撮影を開始させる制御を行う。
この「動態画像を撮影するための装置」とは、放射線照射装置１と放射線撮影装置２のうちの少なくとも一方の装置を指す。
なお、放射線照射装置１やコンソール４から制御信号を受信したことを契機として、撮影を開始させる制御を行うようにしてもよい。
【００３３】
また、呼吸監視部３３に上述した顔を撮影するカメラ等が接続されている場合には、撮影開始後に被検者の顔の撮影を開始し、撮影した被検者Ｓの顔を解析し、口をすぼめていないかどうかを監視するようにしてもよい。
そして、被検者Ｓが口をすぼめたことを検知した場合には、より強い調子で口をすぼめずに呼吸を行う旨の指示を行うようにしてもよい。
【００３４】
撮影を開始させる制御を行った後は、被検者Ｓの呼吸状態に応じて、動態画像を撮影するための装置に対し、撮影を終了させる制御を行う（ステップＳ４）。
具体的には、被検者Ｓの呼吸速度が所定の終了基準値以下となったことを契機として、動態画像を撮影するための装置に対し撮影を終了させる制御を行う。
制御部３１は、このステップＳ３，Ｓ４の処理を実行することにより、制御手段として機能する。
【００３５】
なお、制御部３１に、上記呼吸指示処理を実行する機能の他に、撮影対象部位が胸部である場合に、撮影で得られた複数のフレーム画像に基づいて、肺野の面積を測定する測定手段としての機能を持たせるようにしてもよい。
その場合には、ステップＳ４において、上記ステップＳ４の処理の代わりに、測定した肺野の面積の変化率が所定の基準値以下となったことを契機として、動態画像を撮影するための装置に対し撮影を終了させる制御を行うようにしてもよい。
【００３６】
撮影を終了させる制御を行った後は、口をすぼめずに呼吸を行う旨の指示を終了する（ステップＳ５）。
このステップＳ５の処理は、上記ステップＳ４と同時に行ってもよい。
【００３７】
なお、撮影終了後、検知した呼吸状態を、放射線撮影装置２が生成した動態画像の送信先（例えばコンソール４やＰＡＣＳ５）へ送信し、送信先において動態画像の各フレーム画像と、各フレーム画像を生成したときの息の速さ等と、を紐づけて保存させるようにしてもよい。
【００３８】
また、撮影終了後、検知した呼吸状態を、放射線撮影装置２が生成した動態画像の送信先（例えば画像解析装置６）へ送信し、送信先において肺野面積、横隔膜運動量、肺野が写った領域の信号値、風速の少なくともいずれかの情報に基づいて呼吸機能を算出しスパイログラムを生成させたり、肺年齢を算出させたりするようにしてもよい。
【００３９】
〔撮影台〕
次に、上記放射線撮影システム１００が備える撮影台７の具体的構成について説明する。図４，５は、撮影台の被検者Ｓが配置された状態における正面図である。
【００４０】
本実施形態に係る撮影台７は、図４，５に示すように、支柱７１と、撮影装置保持部７２と、椅子７３と、体動抑制器具７４〜７６と、を備えている。
【００４１】
支柱７１は、床面から鉛直上方に延びるように立設されている。
支柱７１の上端は、立位の被検者Ｓよりも高くなっている。
【００４２】
撮影装置保持部７２は、支柱７１に上下方向に移動可能に支持されている。
また、撮影装置保持部７２は、放射線撮影装置２を装填可能な箱状に形成されている。
なお、撮影装置保持部７２の側部を、ユーザーや被検者Ｓが掴んだり、後述する体動抑制バンド７４を係止したりするための取っ手８２ａにしてもよい。
【００４３】
椅子７３は、座位の被検者Ｓを撮影する際に用いられるもので、被検者Ｓが腰かけることが可能となっている。
椅子７３は、支柱７１や撮影装置保持部７２から独立したものであってもよいし、これらの一部であってもよい。
なお、椅子７３を支柱７１や撮影装置保持部７２に取り付ける構成とする場合には、立位撮影の邪魔にならないよう折りたたんだり、支柱７１の後ろ側へ回動させたりすることが可能に構成するのが好ましい。
【００４４】
体動抑制器具７４〜７６は、体動抑制バンド７４、掴まり棒７５、及び前かがみ防止器具７６の総称である。これらは、撮影台７の前に所定の姿勢で位置する被検者Ｓが、所定の姿勢を崩すのを抑制するためのものである。
なお、本実施形態においては、撮影台７にこれらの器具が全て備えられていることとしたが、これらのうちの少なくともいずれかが備えられていればよい。
【００４５】
体動抑制バンド７４は、撮影装置保持部７２の前側に位置する被検者Ｓを撮影台７の撮影装置保持部７２に括り付けるための帯状の部材である。
なお、体動抑制バンド７４は、撮影装置保持部７２から独立した部材であってもよいし、撮影装置保持部７２の一部であってもよい。
また、体動抑制バンド７４として、帯状の部材を用いるのではなく、板状の硬質部材を用いてもよい。
【００４６】
掴まり棒７５は、撮影台７の支柱７１の上端部に設けられ、被検者Ｓが掴まることが可能に構成されている。
なお、掴まり棒７５は、立位の被検者Ｓも座位の被検者Ｓも掴まることが可能となるよう、高さを変え、変えた後の高さで固定できるように構成するのが好ましい。
なお、掴まり棒７５を備えない場合には、支柱７１の後ろで手を組ませたり、撮影装置保持部７２の取っ手８２ａにつかまらせたりすることで掴まり棒７５の代わりとすることができる。
【００４７】
前かがみ防止器具７６は、努力呼出を行う被検者Ｓが前かがみになったり、頭をもたげてしまったりするのを防ぐためのもので、支持部７６ａと、当接部７６ｂと、を備えている。
本実施形態に係る支持部７６ａは、例えば床面から上方に向かって延設されている。
なお、支持部７６ａは、支柱７１や撮影装置保持部７２から延設されていてもよい。
当接部７６ｂは、被検者Ｓの顔（特に額）に当接させ、被検者Ｓの頭部が移動するのを規制するためのもので、支持部７６ａ（例えば先端部）に設けられている。
当接部７６ｂは、撮影時の被検者Ｓの顔の向き（正面撮影をするときと側面撮影をするときとで９０°変わる）に対応するため、鉛直線を回転軸として回転できるように擦るのが好ましい。
【００４８】
〔動態画像撮影方法（１）〕
次に、上記放射線撮影システム１００を用いて、被検者の動態を撮影する動態画像撮影方法について説明する。
【００４９】
動態撮影では、まず、被検者Ｓを撮影台７の前に配置する。立位の正面撮影を行う場合には、例えば図４（ａ）に示すように、被検者Ｓの背中が撮影装置保持部７２の前面に当接するように立たせる。
一方、座位の正面撮影を行う場合には、例えば図４（ｂ）に示すように、撮影装置保持部７２や、掴まり棒７５、前かがみ防止器具７６の当接部７６ｂの位置を下げ、被検者Ｓを撮影装置保持部７２の前面に背中が当接するように椅子７３に座らせる。
なお、立位又は座位の側面撮影を行う場合には、例えば図５に示すように、被検者Ｓの側面が撮影装置保持部７２の前面に当接するように立たせる又は座らせる。
【００５０】
被検者Ｓを配置した後は、体動抑制器具７４〜７６を用いて被検者Ｓを撮影台７に固定する。具体的には、体動抑制バンド７４を用いて被検者Ｓを撮影装置保持部７２に括り付けたり、掴まり棒７５に被検者Ｓを掴まらせたり、前かがみ防止器具７６の当接部７６ｂを被検者Ｓの顔に当接させたりする。
【００５１】
各装置の準備ができると、呼吸指示装置３が、口をすぼめずに呼吸を行う旨の指示を開始することにより、被検者Ｓに息を吐き出させる。
すると、呼吸指示装置３が、放射線発生装置１及び放射線撮影装置２に対して撮影を開始させる制御を行い、放射線発生装置１及び放射線撮影装置２が、息を吐き出している被検者Ｓの動態を撮影する。この間、被検者Ｓは、口をすぼめないよう意識しながら息を吐き続けることになる。
撮影が終了する（被検者Ｓが息を吐き終える）と、呼吸指示装置３が、呼吸を行う旨の指示を終了する。
【００５２】
以上説明してきたように、本実施形態に係る放射線撮影システム１００によれば、動態画像を撮影する際に、被検者Ｓに対し口をすぼめずに呼吸を行う旨の指示を行い、被検者Ｓが口をすぼめないことを意識するようになるため、被検者Ｓが口をすぼめながら呼吸を行わないようにすることができる。
その結果、慢性閉塞性肺疾患を持つ被験者の動態画像には、慢性閉塞性肺疾患の特徴が確実に表れるため、医師が疾患を見落とすといった心配が無くなる。
【００５３】
〔呼吸補助器具〕
次に、呼吸補助器具８の具体的構成について説明する。図６は本実施形態に係る呼吸補助器具８の斜視図、図７は呼吸補助器具８の側面図である。
【００５４】
呼吸補助器具８は、被検者Ｓが口にくわえた状態で用いられるものとなっている。
また、本実施形態に係る呼吸補助器具８は、図６に示すように、本体８１と、制御部８２と、記憶部８３と、通信部８４と、センサー８５と、表示部８６と、を備えている。
本体８１以外の電子部品は、電気的に接続されている。
なお、本実施形態においては、電子部品を備えることとしたが、呼吸補助器具は、電子部品を備えていなくてもよい。
また、電子部品を備える場合であっても、例えば表示部８６を備えない構成とすることも可能である。
【００５５】
本体８１は、両端が開口した筒状に形成され、少なくとも口にくわえられる部位が、前記被検者がくわえたときに口をすぼめることができない程度の径を有している。
本実施形態においては、例えば製造を容易にするため、全体の径が同じ円筒状としている。
本体８１の径は、２０〜３０ｍｍの範囲内とするのが好ましく、２５ｍｍ程度とするのがより好ましい。
本体の長さは、６０〜８０ｍｍの範囲内とするのが好ましく、７０ｍｍ程度とするのがより好ましい。
【００５６】
本体８１は、使い捨てを可能とするために、紙又はプラスチックで形成されている。
なお、本実施形態のように、制御部８２等の電子部品が取り付けられている場合には、電子部品の交換の手間を省くため、口にくわえられる部位及びその近傍（例えばくわえられる部位を含む本体８１の半分程度）のみ取り外して交換できるようにしてもよい。
また、本体８１の先端にスパイロメトリー（呼吸機能検査）を行うための機器（例えばスパイロメーター等）が備える息の吹き込み口を接続できるようにしてもよい。
【００５７】
また、本体８１は、息を吐くときに本体８１が口から飛び出してしまうのを防ぐため、図７に示すように、被検者Ｓの唇が接する部位に出っ張り８１ａ又は窪み８１ｂが設けられている。
なお、本体８１は、口を大きく開くことが困難な被検者Ｓが使用することを考慮して、図８に示すように、貫通方向と直交する断面が楕円形になっていてもよい。
【００５８】
制御部８２は、ＣＰＵ、ＲＡＭ等で呼吸指示装置３の各部の動作を統括的に制御するように構成されている。具体的には、記憶部３２に記憶されている各種処理プログラムを読み出してＲＡＭに展開し、当該処理プログラムに従って各種処理を実行するようになっている。
【００５９】
記憶部８３は、ＨＤＤや半導体メモリー等により構成され、後述する動作指示等の各種処理を実行するための処理プログラムや、当該処理プログラムの実行に必要なパラメーターや、ファイル等を記憶している。
【００６０】
通信部８４は、ネットワークインターフェース等で構成され、ＬＡＮ（Local Area Network）、ＷＡＮ（Wide Area Network）、インターネット等の通信ネットワークＮを介して接続された他の装置（放射線照射装置１、放射線撮影装置２又は呼吸指示装置３）へ制御信号やデータを送信することが可能となっている。
【００６１】
センサー８５は、被検者Ｓが吐いた息に関する測定を行うためのもので、図６に示したように、本体８１の内側空間（息の通り道）に設けられている。
具体的には、例えば被検者Ｓが吐き出した息の速さ、息の量、息を吐き続けた時間等を測定する。
【００６２】
表示部８６は、本体８１における口にくわえられる部位から離れた方の端部の外面に設けられている。
表示部８６は、例えば液晶表示パネルや、７セグメント方式の表示器、メーター等で構成されている。
【００６３】
このように構成された呼吸補助器具８の制御部８２は、以下のような機能を有している。
例えば制御部８２は、被検者Ｓが吐いた息に関する測定結果を、通信部８４を介して呼吸指示装置３へ送信する機能を有している。
【００６４】
また、制御部８２は、被検者Ｓが吐いた息に関する測定結果を表示部８６に表示させる機能を有している。
また、測定結果の表示方法としては、例えば数字、メーター、光、音声、ギミック等が挙げられる。
制御部８２は、以上のような機能を有することにより、表示制御手段をなす。
【００６５】
〔動態画像撮影方法（２）〕
次に、上記呼吸補助器具８を用いて、被検者の動態を撮影する動態画像撮影方法について説明する。
【００６６】
この動態撮影では、まず、被検者Ｓを撮影台７の前に配置し、被検者Ｓを撮影台７に固定する。被検者Ｓの具体的な配置方法や固定方法は、上述した動態画像撮影方法（１）の場合と同様である。
被検者Ｓの配置・固定の後、又は配置・固定と並行して呼吸補助器具８を被検者Ｓにくわえさせる。これにより、被検者Ｓは、口をすぼめることができない状態となる。
【００６７】
各装置の準備ができると、撮影者（又は呼吸指示装置３）が、呼吸を行う旨の指示を開始することにより、呼吸補助器具８をくわえた状態の被検者Ｓに息を吐き出させる。
すると、放射線発生装置１及び放射線撮影装置２が、息を吐き出している被検者Ｓの動態を撮影する。この間、被検者Ｓは、口をすぼめることなく息を吐き続けることになる。
なお、呼吸補助器具８に、例えばスパイロメーターの吹き込み口を接続しておくことで、動態の撮影と並行して呼吸機能の測定を行うようにしてもよい。
撮影が終了すると、撮影者（又は呼吸指示装置３）が、撮影者（又は呼吸指示装置３）が、呼吸を行う旨の指示を終了する。
【００６８】
以上説明してきたように、本実施形態に係る呼吸補助器具８によれば、動態画像を撮影する際に、被検者Ｓが口をすぼめようとするのを物理的に規制するため、被検者Ｓが口をすぼめながら呼吸を行わないようにすることができ、医師が慢性閉塞性肺疾患を見落とすといった心配が無くなる。
また、上記呼吸指示装置３を用いる必要がないため、低コストで被検者Ｓが口をすぼめながら呼吸を行わないようにすることができる。
【符号の説明】
【００６９】
１００  放射線撮影システム
１  放射線照射装置
２  放射線撮影装置
３  呼吸指示装置
３１  制御部
３２  記憶部
３３  呼吸監視部
３４  呼吸指示部
４  コンソール
５  画像保存通信システム
６  画像解析装置
７  撮影台
７１  支柱
７２  撮影装置保持部
７３  椅子
７４  体動抑制バンド（体動抑制器具）
７５  棒（体動抑制器具）
７６  防止器具（体動抑制器具）
７６ａ  支持部
７６ｂ  当接部
８  呼吸補助器具
８１  本体
８１ａ  張り
８１ｂ  窪み
８２  制御部
８２ａ  取っ手
８３  記憶部
８４  通信部
８５  センサー
８６  表示部
Ｎ  通信ネットワーク
Ｓ  被検者
【図１】
2020130909.tif 000003
【図２】
2020130909.tif 000004
【図３】
2020130909.tif 000005
【図４】
2020130909.tif 000006
【図５】
2020130909.tif 000007
【図６】
2020130909.tif 000008
【図７】
2020130909.tif 000009
【図８】
2020130909.tif 000010